(57)【要約】【課題】放射性物質を投与された患者の屎尿などを処理する浄化槽において、必要な耐震強度を持たせて地上設置を可能とし、目視による外周の日常点検を可能とする。【解決手段】地中埋込型浄化槽のボディ１０より強化されたボディ２０と、該ボディ２０の側面に固定された固定ラグ２８と、該固定ラグ２８を地上４０に固定するための固定手段３０と、を備える。前記ボディ２０を、骨材を組んだフレーム４２、又は、コンクリート基礎４６に固定することができる。【選択図】図４
2020126001.tif 000002
【特許請求の範囲】
【請求項１】
地中埋込型浄化槽のボディより強化されたボディと、
該ボディの側面に固定された固定ラグと、
該固定ラグを地上に固定するための固定手段と、
を備えたことを特徴とする地上設置型浄化槽。
【請求項２】
前記ボディが、前記固定手段により、骨材を組んだフレームに固定されていることを特徴とする請求項１に記載の地上設置型浄化槽。
【請求項３】
前記フレームのボディ底面対応部が、空間とされていることを特徴とする請求項２に記載の地上設置型浄化槽。
【請求項４】
前記ボディが、前記固定手段により、コンクリート基礎に固定されていることを特徴とする請求項１に記載の地上設置型浄化槽。
【請求項５】
前記ボディが、ＦＲＰ資材を型に吹き付けるスプレーアップ方式により製造されたものであることを特徴とする請求項１乃至４のいずれかに記載の地上設置型浄化槽。
【発明の詳細な説明】
【技術分野】
【０００１】
本発明は、地上設置型浄化槽に係り、特に、放射性物質などの管理が必要な物質を投与した患者の屎尿などを処理する際に用いるのに好適な、地上設置可能な耐震強度を有し、目視による外周の日常点検が可能な地上設置型浄化槽に関する。
【背景技術】
【０００２】
屎尿を処理する浄化槽は、例えば特許文献１に記載されているように、図１に７人槽の場合で例示する如く、通常、地中に埋込んで設置され、周囲から加わる土圧により形状を保つようにされている。
【０００３】
図において、１０はボディ、１２はマンホール、１４は流入管、１６は放流管、１８は砕石、１９は捨てコンクリートである。
【０００４】
なお、例えば特許文献２には、浄化槽の付帯設備である合併処理化装置を地上に設置することが記載されているが、浄化槽本体を地上に設置することは考えられていなかった。
【先行技術文献】
【特許文献】
【０００５】
【特許文献１】特開２０１４−６５０１７号公報
【特許文献２】特開２００２−１３６９８２号公報
【発明の概要】
【発明が解決しようとする課題】
【０００６】
一方、例えば放射性物質を投与した患者の屎尿を処理する放射性液体処理用の浄化槽においては、放射性物質の漏えいを日常点検で目視したいが、地中埋込型浄化槽では不可能であった。
【０００７】
なお、従来の地中埋込型浄化槽をそのまま地上設置して転倒防止用のベルトで固定することも考えられるが、耐震性能が評価されておらず、耐震強度に問題があり、例えば建築設備耐震設計・施工指針で、地階及び１階（地表）に設置する病院の放射性物質の水槽に要求される耐震クラスＳの１．５Ｇを満足することはできなかった。
【０００８】
本発明は、前記従来の問題点を解消するべくなされたもので、地上設置可能な耐震強度を有し、外周における放射性物質の漏えい状態などを目視により日常点検することが可能な地上設置型浄化槽を提供することを課題とする。
【課題を解決するための手段】
【０００９】
本発明は、地中埋込型浄化槽のボディより強化されたボディと、該ボディの側面に固定された固定ラグと、該固定ラグを地上に固定するための固定手段と、を備えたことを特徴とする地上設置型浄化槽により、前記課題を解決するものである。
【００１０】
ここで、前記ボディを、前記固定手段により、骨材を組んだフレームに固定することができる。
【００１１】
又、前記フレームのボディ底面対応部を、空間とすることができる。
【００１２】
又、前記ボディを、前記固定手段により、コンクリート基礎に固定することができる。
【００１３】
又、前記ボディを、ＦＲＰ資材を型に吹き付けるスプレーアップ方式により製造することができる。
【発明の効果】
【００１４】
本発明によれば、従来は地中に埋込まれていた浄化槽を地上に設置することが可能になり、例えば放射性物質などの漏えい状態を外周から目視することが可能となって、安全性を向上することができる。
【図面の簡単な説明】
【００１５】
【図１】従来の地中埋込型浄化槽の一例である７人槽の構成を示す縦断面図
【図２】本発明の第１実施形態である７人槽の構成を示す（Ａ）平面図、（Ｂ）Ｂ−Ｂ線に沿う縦断面図、及び、（Ｃ）Ｃ−Ｃ線に沿う横断面図
【図３】同じく固定ラグを示す（Ａ）正面図、（Ｂ）側面図、及び、（Ｃ）平面図
【図４】第１実施形態を鉄骨フレームに直接固定した状態を示す（Ａ）側面図、及び、（Ｂ）正面図
【図５】同じく鉄骨フレームの平面図
【図６】第１実施形態をコンクリート基礎に固定した状態を示す（Ａ）側面図、及び、（Ｂ）正面図
【図７】同じく鉄骨フレーム上の鋼板に固定した状態を示す（Ａ）側面図、及び、（Ｂ）正面図
【図８】本発明の第２実施形態である５人槽を鉄骨フレームに直接固定した状態を示す（Ａ）平面図、（Ｂ）Ｂ−Ｂ線に沿う縦断面図、及び、（Ｃ）Ｃ−Ｃ線に沿う横断面図
【図９】同じく鉄骨フレームの平面図
【発明を実施するための形態】
【００１６】
以下、図面を参照して、本発明の実施の形態について詳細に説明する。なお、本発明は以下の実施形態及び実施例に記載した内容により限定されるものではない。又、以下に記載した実施形態及び実施例における構成要件には、当業者が容易に想定できるもの、実質的に同一のもの、いわゆる均等の範囲のものが含まれる。更に、以下に記載した実施形態及び実施例で開示した構成要素は適宜組み合わせてもよいし、適宜選択して用いてもよい。
【００１７】
７人槽に適用した本発明の第１実施形態は、図２に示す如く、図１に例示したような地中埋込型浄化槽のボディ１０より肉厚を増やすことによって強化された浄化槽ボディ（単にボディとも称する）２０と、該ボディ２０の側面に固定された固定ラグ２８と、該固定ラグ２８を地上に固定するための固定手段である固定用ボルト３０とを備えたものである。図において、２２はマンホール、２４は流入管、２６は放流管である。
【００１８】
地中埋込型浄化槽のボディ１０は、通常、射出成型によって製作されることが多いが、その場合、成形に用いた型どおりの製品しか製作できず、ボディを強化するための改造を行う余地はない。そこで、本実施形態では、ＦＲＰ資材を型に吹き付けて製作を行うスプレーアップ方式により製作される浄化槽を用い、スプレー時間を長くすることによって、少なくとも固定ラグ取付部を含む下半部と、液体の重さによる力が働き割れが生じ易い肩部のボディ１０の厚みを通常より増やすことによってボディ２０を強化している。これにより、耐震保証するための仕様で製作をすることが可能になる。
【００１９】
更に、固定用ボルト３０の耐震保証のため、ボディ２０の側面に固定ラグ２８を用いている。この固定ラグ２８は、ボディ２０の側面の強度を高めるリブの作用も有する。
【００２０】
前記固定ラグ２８は、例えばＦＲＰ製で、図３に詳細に示す如く、ボディ２０の形状に沿う端面２８Ａを有するＵ字形状とされている。この固定ラグ２８は、Ｕ字形状の成形型（例えばＦＲＰ製）の上にＦＲＰを手作業で積層して脱型し、その後、浄化槽ボディ２０の曲面に合わせたゲージ（例えば塩化ビニル製）を用いて固定ラグ２８の側面部を切断することにより製造することができる。
【００２１】
前記固定ラグ２８は、浄化槽ボディ２０に固定ラグ２８を突合せ、その周囲に樹脂を含浸させたガラスマットを配置し、ローラーで転圧して接合することにより、浄化槽ボディ２０の側面に固定される。この固定ラグ２８と、ボディ２０の間の隙間にはパテなどの充填材３２が充填されている。
【００２２】
前記固定ラグ２８は、更に、その底面に開けられた固定用穴２８Ｂに固定用ボルト３０を通すことによって固定される。
【００２３】
上記の浄化槽ボディ２０の厚み増加による本体強度の増加と、固定手段（例えば固定用ボルト３０）の耐震強度保証のための浄化槽ボディ２０への固定ラグ２８の取付によって、耐震強度保証を行うことが可能となる。
【００２４】
前記地上設置型浄化槽の地上への固定方法を説明する。
【００２５】
図４は、例えば鉄骨フレーム４２を地表４０に配設し、その上に浄化槽ボディ２０を設置すると共に、アンカーボルト４４により鉄骨フレーム４２を地表４０に固定した例である。
【００２６】
鉄骨フレーム４２は、図５に平面図を例示する如く、全長に亘る長手方向ビーム４２Ａと分割された短い幅方向ビーム４２Ｂを有し、浄化槽ボディ２０の底面対応部を空間４２Ｃとすると共に、固定ラグ２８の対応部に幅方向ビーム４２Ｂを渡して固定ラグ２８の固定を容易とすることができる。これにより必要なフレーム強度を確保した上で、浄化槽ボディ２０の底面を含む６面全部の点検が可能となる。
【００２７】
なお、鉄骨フレーム４２の高さが高い場合には、後出図７に例示するように、中間部に水平方向中間ビーム４２Ｄ、４２Ｅを追加することができる。
【００２８】
図６は、地表４０上に敷設したコンクリート基礎４６に、固定用ボルト３０を用いて浄化槽ボディ２０を固定したものである。
【００２９】
この場合には、浄化槽ボディ２０を安価に地表４０に固定することができる。
【００３０】
図７は、鉄骨フレーム４２に鋼板４８を敷設し、その上に浄化槽ボディ２０を設置した例である。
【００３１】
この場合には、鋼板４８上に浄化槽ボディ２０を安定して強固に固定できる。
【００３２】
図７の例において、鋼板４８の浄化槽ボディ２０の底面対応部に点検用開口を設けて、浄化槽ボディ２０の底面を含む６面点検を可能とすることもできる。
【００３３】
なお、前記第１実施形態においては、本発明が７人用の浄化槽に適用されていたが、本発明の適用対象はこれに限定されず、５人用の浄化槽に適用した第２実施形態を鉄骨フレーム４２に固定した状態を図８に示すように、５人用の浄化槽にも同様に適用できる。
【００３４】
この５人用の浄化槽は、ボディ２０が小型化されマンホール２２が３つに減り、固定ラグ２８の数も片面２個に減っている点を除き、基本的に第１実施形態の７人槽と同じであるので、説明は省略する。
【００３５】
本実施形態における鉄骨フレーム４２の平面形状を図９に示す。
【００３６】
固定ラグ２８の設置個数は、ボディ２０の強度に応じて適宜選定することが可能である。
【００３７】
前記実施形態においては、本発明が、７人槽及び５人槽に適用されていたが、本発明の適用対象はこれに限定されず、他のサイズの浄化槽にも同様に適用できる。
【００３８】
又、固定ラグ２８などの材質もＦＲＰに限定されず、固定手段も固定用ボルト３０に限定されない。鉄骨フレーム４２の骨材も鉄骨に限定されない。
【符号の説明】
【００３９】
２０…（浄化槽）ボディ
２２…マンホール
２４…流入管
２６…放流管
２８…固定ラグ
２８Ｂ…固定用穴
３０…固定用ボルト
３２…充填材
４０…地表
４２…鉄骨フレーム
４２Ａ…長手方向ビーム
４２Ｂ…幅方向ビーム
４２Ｃ…空間
４２Ｄ、４２Ｅ…水平方向中間ビーム
４４…アンカーボルト
４６…コンクリート基礎
４８…鋼板
【図１】
2020126001.tif 000003
【図２】
2020126001.tif 000004
【図３】
2020126001.tif 000005
【図４】
2020126001.tif 000006
【図５】
2020126001.tif 000007
【図６】
2020126001.tif 000008
【図７】
2020126001.tif 000009
【図８】
2020126001.tif 000010
【図９】
2020126001.tif 000011